(57)【要約】【課題】９０°の位相差を持つ２つのローカル信号を発生するローカル信号源として使用可能な２出力直交ローカル信号発振器の提供。【解決手段】第１及び第２のトランジスター１４及び１５を有し、共振器２０を共有することにより、基本発振周波数にてプッシュ−プッシュ発振動作を行い、第１及び第２のトランジスターの一方から第１のローカル信号を出力する第１のプッシュ−プッシュ型発振器１８と、第３及び第４のトランジスター１６及び１７を有し、共振器２０を共有することにより、前記基本発振周波数にてプッシュ−プッシュ発振動作を行い、第３及び前記第４のトランジスターの一方から第２のローカル信号を出力する第２のプッシュ−プッシュ型発振器１９とを有し、第１及び第２のプッシュ−プッシュ型発振器は、共振器の直交共振モードによって直交発振動作を行い、９０°の位相差のある直交ローカル信号を出力することを特徴とする２出力直交ローカル信号発振器。【選択図】図４
2011217221.tif 000002
【特許請求の範囲】
【請求項１】
第１及び第２のプッシュ−プッシュ型発振器と、前記第１及び前記第２のプッシュ−プッシュ型発振器に共有され、直交共振モードを有する共振器とを備え、
前記第１のプッシュ−プッシュ型発振器は、第１及び第２のトランジスターを有し、前記共振器を共有することにより、基本発振周波数にてプッシュ−プッシュ発振動作を行い、前記第１及び前記第２のトランジスターの一方から第１のローカル信号を出力するものであり、
前記第２のプッシュ−プッシュ型発振器は、第３及び第４のトランジスターを有し、前記共振器を共有することにより、前記基本発振周波数にてプッシュ−プッシュ発振動作を行い、前記第３及び前記第４のトランジスターの一方から第２のローカル信号を出力するものであり、
前記第１及び前記第２のプッシュ−プッシュ型発振器は、前記共振器の前記直交共振モードによって、互いに直交発振動作を行い、前記第１及び前記第２のローカル信号を、互いに９０°の位相差のある直交するローカル信号として出力することを特徴とする２出力直交ローカル信号発振器。
【請求項２】
請求項１に記載の２出力直交ローカル信号発振器において、
前記共振器は、平面共振器であることを特徴とする２出力直交ローカル信号発振器。
【請求項３】
請求項１に記載の２出力直交ローカル信号発振器において、
前記第１乃至前記第４のトランジスターは、それぞれＦＥＴであることを特徴とする２出力直交ローカル信号発振器。
【請求項４】
請求項１に記載の２出力直交ローカル信号発振器において、
前記第１乃至前記第４のトランジスターは、それぞれ負性抵抗素子を構成し、  前記共振器は、前記第１乃至前記第４のトランジスターで構成された負性抵抗素子と疎結合していることを特徴とする２出力直交ローカル信号発振器。
【請求項５】
互いに９０°の位相差のある直交するローカル信号を発生するローカル信号源を有する直交変調回路において、前記ローカル信号源として、請求項１に記載の２出力直交ローカル信号発振器を用いたことを特徴とする直交変調回路。
【請求項６】
互いに９０°の位相差のある直交するローカル信号を発生するローカル信号源を有する直交変調回路を用いた送信機において、前記ローカル信号源として、請求項１に記載の２出力直交ローカル信号発振器を用いたことを特徴とする送信機。
【請求項７】
互いに９０°の位相差のある直交するローカル信号を発生するローカル信号源を有する直交復調回路において、前記ローカル信号源として、請求項１に記載の２出力直交ローカル信号発振器を用いたことを特徴とする直交復調回路。
【請求項８】
互いに９０°の位相差のある直交するローカル信号を発生するローカル信号源を有する直交復調回路を用いた受信機において、前記ローカル信号源として、請求項１に記載の２出力直交ローカル信号発振器を用いたことを特徴とする受信機。
【発明の詳細な説明】
【技術分野】
【０００１】
本発明は、直交変調回路や直交復調回路のローカル信号源として使用可能な２出力直交ローカル信号発振器に関する。
【背景技術】
【０００２】
デジタル無線通信機器においては、直交変調回路及び直交復調回路が使われている。直交変調回路及び直交復調回路には、９０°の位相差を持つ２つのローカル信号を発生するローカル信号源が不可欠となる。
【０００３】
関連技術としてのローカル信号源は、１つの発振器からの出力信号を分配器により２分岐し、２分岐された信号の内の一つを９０°移相器により９０°位相を変え、２つの９０°位相差のあるローカル信号を作り出す。
【０００４】
このローカル信号源の回路構成では、１つの発振器の出力信号から９０°の位相差を持つ２つの出力信号を発生するために、発振器の他に、分配器及び移相器などの外部回路を追加することが必要となって、回路設計は複雑になる。このローカル信号源では、回路面積も、分配器及び移相器の分、大きくなる。
【０００５】
特許文献１（特表２００７−５０１５７４号公報）は、図１１及び段落［００５６］に、サブ回路＃１の発振信号が０°＠ｆ０であり、サブ回路＃２の発振信号が９０°＠ｆ０であり、サブ回路＃３の発振信号が１８０°＠ｆ０であり、サブ回路＃４の発振信号が２７０°＠ｆ０である４プッシュ発振器を開示している。
【０００６】
上記特許文献１（特表２００７−５０１５７４号公報）は、また、段落［００５８］には、所望の第４高調波４ｆ０を出力させるために不要な基本信号ｆ０、第２高調波２ｆ０、第３高調波３ｆ０および第５高調波５ｆ０などを抑圧することを開示している。
【０００７】
特許文献２（特表２００４−５１９８９７号公報）は、図１及び段落［００１６］に、直交発振器回路１０９を含む無線トランシーバ１００を開示している。
【先行技術文献】
【特許文献】
【０００８】
【特許文献１】特表２００７−５０１５７４号公報
【特許文献２】特表２００４−５１９８９７号公報
【発明の概要】
【発明が解決しようとする課題】
【０００９】
本発明の目的は、９０°の位相差を持つ２つのローカル信号を発生するローカル信号源として使用可能な、簡素化された回路構成の小型化された２出力直交ローカル信号発振器を提供することにある。
【課題を解決するための手段】
【００１０】
本発明によれば、
第１及び第２のプッシュ−プッシュ型発振器と、前記第１及び前記第２のプッシュ−プッシュ型発振器に共有され、直交共振モードを有する共振器とを備え、
前記第１のプッシュ−プッシュ型発振器は、第１及び第２のトランジスターを有し、前記共振器を共有することにより、基本発振周波数にてプッシュ−プッシュ発振動作を行い、前記第１及び前記第２のトランジスターの一方から第１のローカル信号を出力するものであり、
前記第２のプッシュ−プッシュ型発振器は、第３及び第４のトランジスターを有し、前記共振器を共有することにより、前記基本発振周波数にてプッシュ−プッシュ発振動作を行い、前記第３及び前記第４のトランジスターの一方から第２のローカル信号を出力するものであり、
前記第１及び前記第２のプッシュ−プッシュ型発振器は、前記共振器の前記直交共振モードによって、互いに直交発振動作を行い、前記第１及び前記第２のローカル信号を、互いに９０°の位相差のある直交するローカル信号として出力することを特徴とする２出力直交ローカル信号発振器が得られる。
【発明の効果】
【００１１】
本発明によれば、９０°の位相差を持つ２つのローカル信号を発生するローカル信号源として使用可能な、簡素化された回路構成の小型化された２出力直交ローカル信号発振器を得ることができる。
【図面の簡単な説明】
【００１２】
【図１】本発明の第１の実施形態による２出力直交ローカル信号発振器をローカル信号源として用いることができる直交変調回路を用いた送信機を示す図である。
【図２】本発明の第１の実施形態による２出力直交ローカル信号発振器をローカル信号源として用いることができる直交復調回路を用いた受信機を示す図である。
【図３】関連技術としてのローカル信号源を示す図である。
【図４】本発明の第１の実施形態による２出力直交ローカル信号発振器を示す図である。
【発明を実施するための形態】
【００１３】
次に本発明の実施形態について詳細に説明する。
【００１４】
以下に図４を参照して述べる本発明の一実施形態による２出力直交ローカル信号発振器は、プッシュ−プッシュ型発振原理を利用し、さらに共有の共振器に存在する定在波の共振モードを利用することにより、簡単に９０°の位相差を持つ直交ローカル信号を出力することができるものである。
【００１５】
前記実施形態による２出力直交ローカル信号発振器によれば、関連技術としてのローカル信号源にある分配器及び９０°移相器などを削減でき、回路の簡素化と回路面積の削減とを図ることができるものである。
【００１６】
さらに、前記実施形態による２出力直交ローカル信号発振器を利用して、空間変復調を行う送受信機を容易に実現することができるものである。
【００１７】
図１を参照すると、ローカル信号源２を有する直交変調回路３を用いた送信機が示されている。ローカル信号源２として前記実施形態による２出力直交ローカル信号発振器を用いることができる。
【００１８】
図示の送信機は、主に変調部分とパワー増幅部分で構成される。変調部分は、乗算器１とローカル信号源２と増幅器ＡＭＰとを有する直交変調回路３を有する。パワー増幅部分は、パワー増幅器４を有する。
【００１９】
ローカル信号源２は、互いに９０°の位相差を持つローカル信号を発生する。
【００２０】
Ｉ及びＱ送信データは、それぞれ増幅器ＡＭＰを介して乗算器１に入力される。Ｉ及びＱ送信データは、それぞれ９０°だけ位相がずれたローカル信号と乗算器１において乗算された後、後段のパワー増幅器４によって増幅されて、外部に送信される。
【００２１】
図２を参照すると、ローカル信号源６を有する直交復調回路７を用いた受信機が示されている。ローカル信号源６として前記実施形態による２出力直交ローカル信号発振器を用いることができる。
【００２２】
図示の受信機は、主に増幅部分と復調部分で構成される。増幅部分はＬＮＡ(Low Noise Amplifier)８を有する。復調部分は、乗算器５とローカル信号源６と増幅器ＡＭＰとを有する直交復調回路７を有する。
【００２３】
ローカル信号源６は、互いに９０°の位相差を持つローカル信号を発生する。
【００２４】
受信した高周波信号は、ＬＮＡ８によって増幅される。増幅された信号は、乗算器１において、９０°だけ位相がずれたローカル信号と乗算されて、Ｉ及びＱ信号に復調される。Ｉ及びＱ信号はそれぞれ増幅器ＡＭＰを介して直交復調回路７外部に出力される。
【００２５】
図１及び図２において、互いに９０°の位相差を持つローカル信号を発生するローカル信号源２及び６は、送信機の変調回路及び受信機の復調回路に不可欠となる。
【００２６】
図３を参照すると、上述した関連技術としてのローカル信号源が示されている。このローカル信号源も、図１及び図２のローカル信号源２及び６として用いることができる。このローカル信号源は、発振器９の出力信号を分配器１０によってパス１１とパス１２に２分岐し、さらにパス１２に９０°移相器１３を挿入して、２つの９０°位相差のあるローカル信号を作り出す。
【００２７】
このローカル信号源の回路構成では、１つの発振器９の出力信号から９０°の位相差を持つ２つの出力信号を発生するために、発振器９の他に、分配器１０及び移相器９０℃などの外部回路を追加することが必要となって、回路設計は複雑になる。このローカル信号源では、回路面積も、分配器１０及び９０°移相器１３の分、大きくなる。
【００２８】
これに対して、前記実施形態による２出力直交ローカル信号発振器は、互いに９０°の位相差をもつ２つの高周波信号を発振するものである。前記実施形態による２出力直交ローカル信号発振器は、２つのプッシュ−プッシュ型発振器を有し、これら２つのプッシュ−プッシュ型発振器を基本発振周波数で直交発振動作させることで、互いに９０°の位相差を持つ２つの高周波信号を出力させることができる。
【００２９】
前記実施形態による２出力直交ローカル信号発振器は、２つの出力ポートを有し、２つの出力ポートから、互いに９０°の位相差を持つ高周波信号を出力させることができる。
【００３０】
図４を参照すると、前記実施形態による２出力直交ローカル信号発振器が示されている。この２出力直交ローカル信号発振器は、主に３つの部分で構成される。３つの部分は、プッシュ−プッシュ型発振器１８と、プッシュ−プッシュ型発振器１９と、プッシュ−プッシュ型発振器１８及びプッシュ−プッシュ型発振器１９によって共有される共振器２０とである。
【００３１】
Ｐｕｓｈ-Ｐｕｓｈ型発振器１８はトランジスター１４とトランジスター１５で構成されている。Ｐｕｓｈ-Ｐｕｓｈ型発振器１９はトランジスター１６とトランジスター１７で構成されている。Ｐｕｓｈ-Ｐｕｓｈ型発振器１８は共振器２０を有する。Ｐｕｓｈ-Ｐｕｓｈ型発振器１９は共振器２０を有する。
【００３２】
Ｐｕｓｈ-Ｐｕｓｈ型発振器１８及びＰｕｓｈ-Ｐｕｓｈ型発振器１９は互いに同じ基本発振周波数にて発振するように設計を行う。
【００３３】
トランジスター１４とトランジスター１５とによって構成されているＰｕｓｈ-Ｐｕｓｈ型発振器１８は、共振器２０を共有することにより、Ｐｕｓｈ-Ｐｕｓｈ発振動作を行う。トランジスター１６とトランジスター１７とによって構成されているＰｕｓｈ-Ｐｕｓｈ型発振器１９は、共振器２０を共有することにより、Ｐｕｓｈ-Ｐｕｓｈ発振動作を行う。
【００３４】
共振器２０は、Ｐｕｓｈ-Ｐｕｓｈ型発振器１８及びＰｕｓｈ-Ｐｕｓｈ型発振器１９に共有される。
【００３５】
共振器２０の共振周波数は、発振器１８及び１９の基本発振周波数と同じ周波数に設計する。
【００３６】
共振器２０は、Ｐｕｓｈ-Ｐｕｓｈ型発振器１８及びＰｕｓｈ-Ｐｕｓｈ型発振器１９に共有されることで、発振動作するときに、共振器２０に定在波を発生させる。発生させた定在波の影響で、Ｐｕｓｈ-Ｐｕｓｈ型発振器１８及びＰｕｓｈ-Ｐｕｓｈ型発振器１９は、独自のＰｕｓｈ-Ｐｕｓｈ発振動作をすると同時に、互いに９０°の位相差を持つ、直交発振動作をすることも可能である。
【００３７】
Ｐｕｓｈ-Ｐｕｓｈ型発振器１８及びＰｕｓｈ-Ｐｕｓｈ型発振器１９は、互いに直交発振動作することによって、出力ポート２１及び出力ポート２２から出力された発振信号は互いに９０°の位相差を持っている。即ち、ポート２１及びポート２２からの発振出力信号は直交している。
【００３８】
ここで、図４に図示された２出力直交ローカル信号発振器の構成をまとめておく。
【００３９】
この２出力直交ローカル信号発振器は、Ｐｕｓｈ-Ｐｕｓｈ型発振器１８と、Ｐｕｓｈ-Ｐｕｓｈ型発振器１９と、共有の共振器２０とを有する。
【００４０】
Ｐｕｓｈ-Ｐｕｓｈ型発振器１８は、トランジスター１４とトランジスター１５で構成されている。
【００４１】
Ｐｕｓｈ-Ｐｕｓｈ型発振器１９は、トランジスター１６とトランジスター１７で構成されている。
【００４２】
Ｐｕｓｈ-Ｐｕｓｈ型発振器１８は、共振器２０を有する。Ｐｕｓｈ-Ｐｕｓｈ型発振器１９は共振器２０を有する。
【００４３】
Ｐｕｓｈ-Ｐｕｓｈ型発振器１８は、共有の共振器２０を有するため、基本発振周波数にてＰｕｓｈ-Ｐｕｓｈ発振動作を行う。
【００４４】
Ｐｕｓｈ-Ｐｕｓｈ型発振器１９は共有の共振器２０を有するため、基本発振周波数にてＰｕｓｈ-Ｐｕｓｈ発振動作を行う。
【００４５】
共振器２０には、定在波が存在する。Ｐｕｓｈ-Ｐｕｓｈ型発振器１８及びＰｕｓｈ-Ｐｕｓｈ型発振器１９は、共振器２０を共有することで、共振器２０に有する定在波と直交共振モードによって、互いに直交発振動作を行う。
【００４６】
その結果、出力ポート２１及び出力ポート２２から、互いに９０°の位相差を持つ２つのローカル信号を出力することが出来る。
【００４７】
図１において、ローカル信号源２として図４の２出力直交ローカル信号発振器を用いることによって、直交変調回路３は、ポート２１及びポート２２から出力された９０°位相差を持つローカル信号を利用して、Ｉ及びＱ信号を直交変調して、高周波信号として送信することができる。
【００４８】
図２において、ローカル信号源６として図４の２出力直交ローカル信号発振器を用いることによって、直交復調回路７は、ポート２１及びポート２２から出力された９０°位相差を持つローカル信号を利用して、受信した高周波信号を直交復調して、Ｉ及びＱ信号に復調することができる。
【００４９】
本実施形態では、Ｐｕｓｈ-Ｐｕｓｈ型発振原理を利用し、さらに共有の共振器２０に存在する定在波の共振モードを利用することにより、簡単に９０°の位相差を持つ直交ローカル信号を出力することが出来る。
【００５０】
次に、図４の２出力直交ローカル信号発振器のトランジスター１４〜１７及び共振器２０についてより詳細に説明する。
【００５１】
まず、トランジスター１４、トランジスター１５、トランジスター１６、トランジスター１７は発振動作周波数範囲内で、負性抵抗を発生するように負性抵抗素子として設計を行う。
【００５２】
共有の共振器２０は、直交共振モードを有する共振器である。
【００５３】
共有の共振器２０は、共有の共振器２０のＱ値と直交共振モードを維持するために、トランジスター１４、トランジスター１５、トランジスター１６、トランジスター１７によって構成した負性抵抗素子と疎結合をしている。
【００５４】
より高品質な基本発振信号を出力して、不要な高調波成分を抑制するため、ポート２１及びポート２２の負荷設計は、基本波がより発生して、不要な高調波成分を抑制するように設計する。
【００５５】
より低位相雑音特性を実現するために、低雑音設計を行う。
【００５６】
トランジスター１４とトランジスター１５で構成した負性抵抗素子は、共振器２０を利用して、Ｐｕｓｈ-Ｐｕｓｈ型発振器１８を構成し、Ｐｕｓｈ-Ｐｕｓｈ発振動作を行う。
【００５７】
トランジスター１６とトランジスター１７で構成した負性抵抗素子は、共振器２０を利用して、Ｐｕｓｈ-Ｐｕｓｈ型発振器１９を構成し、Ｐｕｓｈ-Ｐｕｓｈ発振動作を行う。
【００５８】
トランジスター１４、トランジスター１５、トランジスター１６、トランジスター１７によって構成した負性抵抗素子は、共有の共振器２０と疎結合しているため、共振器２０に存在する固有の直交共振モードに影響しない。Ｐｕｓｈ-Ｐｕｓｈ型発振器１８及びＰｕｓｈ-Ｐｕｓｈ型発振器１９は、共振器２０にある直交共振モードを利用して、独自のＰｕｓｈ-Ｐｕｓｈ発振をすると同時に、Ｐｕｓｈ-Ｐｕｓｈ型発振器１８及びＰｕｓｈ-Ｐｕｓｈ型発振器１９は基本発振周波数にて直交の発振動作も行う。
【００５９】
従って、出力ポート２１と出力ポート２２から、互いに９０°の位相差のある直交するローカル信号を出力することが出来る。
【００６０】
なお、図４において、トランジスター１４、１５、１６、及び１７は、それぞれ例えばＦＥＴ(Field Effect Transistor)である。トランジスター１４、１５、１６、及び１７のゲート“Ｇ”は共振器２０に接続されている。トランジスター１４、１５、１６、及び１７のソース“Ｓ”はグランドに接続されている。トランジスター１４及び１６のドレイン“Ｄ”は、出力ポート２１及び２２に接続されている。トランジスター１５及び１７のドレイン“Ｄ”は、抵抗Ｒを介してグランドに接続されている。
【００６１】
また、共振器２０は例えば平面共振器である。共振器２０としては、空洞共振器も使用することができる。しかしながら、共振器２０としては平面共振器の方が集積し易いので、好ましい。
【００６２】
ここで、図４に図示の２出力直交ローカル信号発振器の構成要素である「トランジスター１４、トランジスター１５、トランジスター１６、トランジスター１７、Ｐｕｓｈ-Ｐｕｓｈ型発振器１８、Ｐｕｓｈ-Ｐｕｓｈ型発振器１９、共振器２０、出力ポート２１、及び出力ポート２２」の互いの接続関係や結合関係についてまとめておく。
【００６３】
Ｐｕｓｈ-Ｐｕｓｈ型発振器１８及び１９は互いに直交発振モードを持つように共有の共振器２０に配置する。トランジスター１４、１５、１６、及び１７は、負性抵抗素子として動作するものであり、共有の共振器２０と疎結合する。
【００６４】
トランジスター１４、１５、１６、及び１７によって構成した負性抵抗素子は、共有の共振器２０と疎結合しているため、共振器２０に存在する固有の直交共振モードに影響しない。Ｐｕｓｈ-Ｐｕｓｈ型発振器１８及び１９は、共振器２０にある直交共振モードを利用して、独自のＰｕｓｈ-Ｐｕｓｈ発振をすると同時に、Ｐｕｓｈ-Ｐｕｓｈ型発振器１８及び１９は、基本発振周波数にて直交の発振動作も行う。これにより、出力ポート２１及び出力ポート２２から、互いに９０°の位相差のある直交するローカル信号を出力することが出来る。
【００６５】
なお、トランジスター１４、１５、１６、及び１７は負性素子として動作するものであるので、トランジスター１４、１５、１６、及び１７のゲート“Ｇ”を共振器２０に接続する代りに、トランジスター１４、１５、１６、及び１７のソース“Ｓ”或いはドレイン“Ｄ”を共振器２０に接続しても良い。図４に示したのは構成の１つの例である。
【００６６】
最後に、図４に図示の２出力直交ローカル信号発振器を発振動作させ、出力ポート２１及び２２から直交する２出力を得るには、どうするのか、共振器２０に定在波を発生させるためには、どうするのかについて、まとめておく。
【００６７】
共振器２０は基本共振周波数で共振する。外部からの増幅があれば、発振器として構成し、発振動作は持続できる。発振したときに、共振器２０内部に定在波が存在する。
【００６８】
Ｐｕｓｈ-Ｐｕｓｈ型発振器１８及び１９は、共振器２０にある直交共振モードを利用して、独自のＰｕｓｈ-Ｐｕｓｈ発振をすると同時に、Ｐｕｓｈ-Ｐｕｓｈ型発振器１８及び１９は基本発振周波数にて直交発振動作も行なうので、出力ポート２１及び２２から直交する２つの基本波信号を得ることができる。
【００６９】
本実施形態においては、以下に記載するような効果が得られる。
【００７０】
本実施形態では、Ｐｕｓｈ-Ｐｕｓｈ型発振原理を利用し、さらに共有の共振器２０に固有な定在波の直交共振モードを利用することにより、簡単に９０°の位相差のある直交する基本波ローカル信号を出力することができる。本実施形態では、図３に示したローカル信号源２にある分配器１０や９０°移相器１３などを無くすことができ、この結果、回路の簡易化と回路の面積の削減を達成できる。
【００７１】
さらに、本実施形態では、ポート２１及びポート２２に、アンテナを接続することによって、空間変復調の機能も容易に実現することができる。
【００７２】
なお、上記特許文献１（特表２００７−５０１５７４号公報）は、段落［００５８］に記載のように、所望の第４高調波４ｆ０を出力させるために不要な基本信号ｆ０、第２高調波２ｆ０、第３高調波３ｆ０および第５高調波５ｆ０などを抑圧して、作った回路である。一方、本実施形態は、高調波４ｆ０を作るためではなく、基本波信号ｆ０を強調して、９０°位相差の持つ２つの基本波信号ｆ０を出力するものである。
【００７３】
以上、実施形態を参照して本願発明を詳細に説明したが、本願発明は上記実施形態に限定されるものではない。本願発明の構成や詳細には、本願発明のスコープ内で当業者が理解できる様々な変更をすることができる。
【００７４】
例えば、図４において、トランジスター１４，１５，１６、及び１７としてＦＥＴを使用しているが、トランジスター１４，１５，１６、及び１７はＦＥＴに限定されない。トランジスター１４，１５，１６、及び１７としてＢＪＴ(Bipolar junction transistor)を使用することもできる。
【００７５】
上記の実施形態の一部又は全部は、以下の付記のようにも記載されうるが、以下には限定されない。
【００７６】
（付記１）
第１及び第２のプッシュ−プッシュ型発振器と、前記第１及び前記第２のプッシュ−プッシュ型発振器に共有され、直交共振モードを有する共振器とを備え、
前記第１のプッシュ−プッシュ型発振器は、第１及び第２のトランジスターを有し、前記共振器を共有することにより、基本発振周波数にてプッシュ−プッシュ発振動作を行い、前記第１及び前記第２のトランジスターの一方から第１のローカル信号を出力するものであり、
前記第２のプッシュ−プッシュ型発振器は、第３及び第４のトランジスターを有し、前記共振器を共有することにより、前記基本発振周波数にてプッシュ−プッシュ発振動作を行い、前記第３及び前記第４のトランジスターの一方から第２のローカル信号を出力するものであり、
前記第１及び前記第２のプッシュ−プッシュ型発振器は、前記共振器の前記直交共振モードによって、互いに直交発振動作を行い、前記第１及び前記第２のローカル信号を、互いに９０°の位相差のある直交するローカル信号として出力することを特徴とする２出力直交ローカル信号発振器。
【００７７】
（付記２）
付記１に記載の２出力直交ローカル信号発振器において、
前記共振器は、平面共振器であることを特徴とする２出力直交ローカル信号発振器。
【００７８】
（付記３）
付記１に記載の２出力直交ローカル信号発振器において、
前記第１乃至前記第４のトランジスターは、それぞれＦＥＴであることを特徴とする２出力直交ローカル信号発振器。
【００７９】
（付記４）
付記１に記載の２出力直交ローカル信号発振器において、
前記第１乃至前記第４のトランジスターは、それぞれ負性抵抗素子を構成し、  前記共振器は、前記第１乃至前記第４のトランジスターで構成された負性抵抗素子と疎結合していることを特徴とする２出力直交ローカル信号発振器。
【００８０】
（付記５）
互いに９０°の位相差のある直交するローカル信号を発生するローカル信号源を有する直交変調回路において、前記ローカル信号源として、付記１に記載の２出力直交ローカル信号発振器を用いたことを特徴とする直交変調回路。
【００８１】
（付記６）
互いに９０°の位相差のある直交するローカル信号を発生するローカル信号源を有する直交変調回路を用いた送信機において、前記ローカル信号源として、付記１に記載の２出力直交ローカル信号発振器を用いたことを特徴とする送信機。
【００８２】
（付記７）
互いに９０°の位相差のある直交するローカル信号を発生するローカル信号源を有する直交復調回路において、前記ローカル信号源として、付記１に記載の２出力直交ローカル信号発振器を用いたことを特徴とする直交復調回路。
【００８３】
（付記８）
互いに９０°の位相差のある直交するローカル信号を発生するローカル信号源を有する直交復調回路を用いた受信機において、前記ローカル信号源として、付記１に記載の２出力直交ローカル信号発振器を用いたことを特徴とする受信機。
【符号の説明】
【００８４】
１    乗算器
２    ローカル信号源
３    直交変調回路
４    パワー増幅器
５    乗算器
６    ローカル信号源
７    直交復調回路
８    ＬＮＡ(Low Noise Amplifier)
９    発振器
１０    分配器
１１    パス
１２    パス
１３    ９０°移相器
１４    トランジスター
１５    トランジスター
１６    トランジスター
１７    トランジスター
１８    プッシュ−プッシュ型発振器
１９    プッシュ−プッシュ型発振器
２０    共振器
２１    出力ポート
２２    出力ポート
ＡＭＰ    増幅器
【図１】
2011217221.tif 000003
【図２】
2011217221.tif 000004
【図３】
2011217221.tif 000005
【図４】
2011217221.tif 000006